(57)【要約】【課題】キー操作によるキーロック時にノブをプッシュ操作しても、閂ロッドがロック状態に保持される形式のドア用ロック機構において、キーロック時にノブが強くプッシュ操作されても構成部材に破損が生じるような不具合を解消する。【解決手段】キーロック時においては、ノブをプッシュ操作しても閂ロッドがロック状態に保持される形式のドア用ロック機構であって、回転によって閂ロッドを摺動させるカム部材１６と、ノブ２０と共にプッシュ操作されるキーシリンダ２８と、キーシリンダに支持され、かつ、キー操作によって回転する作動部材３０とを備えている。キーロック解除時においては、ノブ２０のプッシュ操作によって作動部材３０がカム部材１６に干渉して該カム部材を回転させ、キーロック時においては、作動部材３０がカム部材１６に干渉しないように構成されている。【選択図】図２
2015101946.tif 000002
【特許請求の範囲】
【請求項１】
ドアを閉じた状態にロックしている閂ロッドが、ノブのプッシュ操作に連動してロック解除方向へ摺動することでドアを開くことができ、かつ、キー操作によるキーロック時においては、ノブをプッシュ操作しても閂ロッドがロック状態に保持される形式のドア用ロック機構であって、
閂ロッドに連結され、その回転によって閂ロッドを摺動させるカム部材と、ノブと共にプッシュ操作されるキーロック用のキーシリンダと、キーシリンダに支持され、ノブのプッシュ操作によって直線的に作動し、かつ、キー操作によってカム部材に対する相対的な回転が可能な作動部材とを備え、キーロック解除時においては、ノブのプッシュ操作によって作動する作動部材がカム部材に干渉して該カム部材を回転させ、キーロック時においては、ノブのプッシュ操作によって作動する作動部材がカム部材に干渉しないように構成されているドア用ロック機構。
【発明の詳細な説明】
【技術分野】
【０００１】
本発明は、車室内のグラブボックスやコンソールボックス等のドアを閉じた状態でロックするドア用ロック機構に関する。さらに具体的には、ノブのプッシュ操作によってロックが解除され、かつ、キーロック時にはノブのプッシュ操作にかかわらずドアを閉じたロック状態に保持される形式のドア用ロック機構に関する。
に関する。
【背景技術】
【０００２】
この種のドアロック機構としては、グラブボックス等のドアが閂ロッドによって閉じた状態にロックされる構成のものが知られている。この構成では、ノブのプッシュ操作に連動して閂ロッドがロック解除方向へ摺動し、ドアを開くことができる。そして、キー操作によるキーロック時においては、キーシリンダのストッパー部が閂ロッドの端部と干渉するように位置する。このストパー構造によって閂ロッドの摺動が規制され、ノブをプッシュ操作しても閂ロッドがロック状態に保持される。
なお、特許文献１には、ノブのプッシュ操作によって閂ロッドをロック解除方向へ摺動させてグラブボックスのドアを開くことができる構成のロック機構が開示されている。
【先行技術文献】
【特許文献】
【０００３】
【特許文献１】特開２００９−２６９５７２号公報
【発明の概要】
【発明が解決しようとする課題】
【０００４】
前述のキーシリンダによるストッパー構造においては、キーシリンダのストッパー部と閂ロッドの端部との接触箇所に荷重が集中することから、キーロック時においてノブが強くプッシュ操作されると、ストッパー部や閂ロッドに破損を生じる場合がある。
【０００５】
本発明は、このような課題を解決しようとするもので、その目的は、キー操作によるキーロック時にノブをプッシュ操作しても、閂ロッドがロック状態に保持される形式のドア用ロック機構において、キーロック時にノブが強くプッシュ操作されても構成部材に破損が生じるような不具合を解消することである。
【課題を解決するための手段】
【０００６】
本発明は、上記の目的を達成するためのもので、以下のように構成されている。
ドアを閉じた状態にロックしている閂ロッドが、ノブのプッシュ操作に連動してロック解除方向へ摺動することでドアを開くことができ、かつ、キー操作によるキーロック時においては、ノブをプッシュ操作しても閂ロッドがロック状態に保持される形式のドア用ロック機構であって、閂ロッドに連結され、その回転によって閂ロッドを摺動させるカム部材と、ノブと共にプッシュ操作されるキーロック用のキーシリンダと、キーシリンダに支持され、ノブのプッシュ操作によって直線的に作動し、かつ、キー操作によってカム部材に対する相対的な回転が可能な作動部材とを備えている。
そして、キーロック解除時においては、ノブのプッシュ操作によって作動する作動部材がカム部材に干渉して該カム部材を回転させ、キーロック時においては、ノブのプッシュ操作によって作動する作動部材がカム部材に干渉しないように構成されている。
【発明の効果】
【０００７】
本発明は、ノブがプッシュ操作されたときの作動部材が、キーロック解除時においてはカム部材に干渉して該カム部材を回転させ、閂ロッドをロック解除方向へ摺動させることができ、キーロック時においてはカム部材を回転させることなく、閂ロッドをロック状態に保持することができる。
特に、キーロック時においてノブがプッシュ操作されても、それによって移動する作動部材がカム部材に干渉しない構成としているため、ノブのプッシュ操作が、いわゆる空打ちとなる。これにより、キーロック時にノブが強くプッシュ操作された場合でも、ロック機構の構成部材に破損が生じるような不具合が解消される。
【図面の簡単な説明】
【０００８】
【図１】ドア用ロック機構の構成部材を分解状態で表した斜視図。
【図２】ドア用ロック機構における操作側の構成部材を分解状態で表した斜視図。
【図３】ドア用ロック機構における操作側の構成部材を組み付け状態で表した正面図。
【図４】図３のIV―IV矢視方向の断面図。
【図５】図３のV―V矢視方向の断面図。
【図６】キーロック解除時においてノブがプッシュ操作される状態を表した断面図。
【図７】キーロック時においてノブがプッシュ操作される状態を表した断面図。
【発明を実施するための形態】
【０００９】
以下、本発明を実施するための形態を、図面を用いて説明する。
図面では、グラブボックスのドア用ロック機構が示されている。このロック機構においては、図１で示す左右一対の閂ロッド１２が図４、５に示されているドア１０の内側において左右方向へ摺動可能に組み付けられている。両閂ロッド１２は、それぞれの外側端部１２ａがインストルメントパネルのロック孔（図示省略）に係合することで、ドア１０を閉じた状態にロックすることができる。このロック状態から両閂ロッド１２が互いに接近する方向へ摺動することによってロックが解除され、ドア１０を開くことができる。
また、両閂ロッド１２の内側端部１２ｂは、つぎに説明するカム部材１６と連結するために、それぞれ球形状に形成されている。
【００１０】
カム部材１６は、リング形状をしており、後述するノブ２０のベース２２に対して回転可能に組み付けられている。カム部材１６は、ノブ２０から見て奥側の側面に一対の連結部１６ａを備え（図３、図５）、手前側の側面に一対の突片１６ｂを備えている（図１、図５）。これらの両連結部１６ａの相互および両突片１６ｂの相互は、それぞれ周方向に180°間隔で設けられている。ただし、両連結部１６ａと両突片１６ｂとの周方向の位置関係については、何ら制限を受けない。
【００１１】
両閂ロッド１２の内側端部１２ｂは、カム部材１６の一対の連結部１６ａに対して自在継ぎ手の状態で個別に結合される。したがって、両閂ロッド１２は、カム部材１６の回転を通じて互いに同期してロック方向あるいはロック解除方向へ摺動することになる。そして、両閂ロッド１２は、その一方（図1の右側に位置する方）とドア１０との間に掛けられたロックスプリング１４により、常にロック方向へ付勢されている。
なお、カム部材１６の両突片１６ｂについては、後述する作動部材３０との関連において詳細に説明する。
【００１２】
ノブ２０のベース２２はドア１０の開口部に組み込まれ、かつ、その両側から張り出したブラケット２２ａがドア１０の内側面にそれぞれビス２２ｂによって締結されている（図４）。ノブ２０はベース２２に対してプッシュ操作可能に組み付けられ、ベゼル２４はノブ２０の外周とドア１０の開口部との隙間を塞ぐようにベース２２に固定されている。ノブ２０とベース２２との間には、スプリング２６が組み込まれている（図１、図４）。このスプリング２６の付勢力により、常態でのノブ２０は図４（Ａ）あるいは図５（Ａ）で示す復帰位置に押し戻されている。
【００１３】
ノブ２０には、その表裏に貫通した円筒形状の空間部２１があり、そこにはキーシリンダ２８が組み込まれている。このキーシリンダ２８は、ノブ２０のプッシュ操作によって該ノブ２０と共に移動する。また、キーシリンダ２８の先端に位置している突起部２９には、円板形状の作動部材３０が固定（支持）されている（図５）。
作動部材３０は、カム部材１６と同軸線上において該カム部材１６と対向している。この作動部材３０の外径は、カム部材１６のリング内径よりも小さく設定されている。このため、ノブ２０のプッシュ操作により、それと共に移動するキーシリンダ２８に固定された作動部材３０は、図４（Ｂ）あるいは図５（Ｂ）で示すようにカム部材１６を貫通する位置まで直線的に作動する。
【００１４】
作動部材３０は、その外周部から張り出した一対の突出片３２を備えている。これらの突出片３２は、カム部材１６の両突片１６ｂに対して個別に相対向している。そこで、ノブ２０のプッシュ操作に伴って作動部材３０が作動すると、その両突出片３２がカム部材１６の両突片１６ｂの斜面１６ｃにそれぞれ干渉し、これらの斜面１６ｃを押しながら進行する。この状況が図６の実線から仮想線への変化によって示されており、これによってカム部材１６が回転する。
【００１５】
前述のように、キーシリンダ２８の突起部２９に固定されている作動部材３０は、このキーシリンダ２８のキー操作によってカム部材１６に対して相対的に回転する。これにより、キーシリンダ２８がキー操作によってキーロック解除からキーロックに切り替えられたときの作動部材３０は、その突出片３２が図７の実線位置から仮想線位置に変化するように回転する。この結果、ノブ２０のプッシュ操作によって作動部材３０が図４（Ｂ）あるいは図５（Ｂ）で示す位置まで作動しても、両突出片３２がカム部材１６の両突片１６ｂの斜面１６ｃに干渉せず、カム部材１６は回転しない。
【００１６】
つづいて、ドア用ロック機構のロック解除操作について説明する。
まず、キーシリンダ２８のキーロック解除時においてノブ２０がプッシュ操作されると、すでに説明したように作動部材３０が図４（Ｂ）あるいは図５（Ｂ）で示す位置まで直線的に作動し、その両突出片３２がカム部材１６の両突片１６ｂの斜面１６ｃを押しながら進行する。これにより、カム部材１６が図６の実線位置から仮想線位置に回転し、それに連動して両閂ロッド１２がロック解除方向へ摺動する。この結果、両閂ロッド１２によるドア１０のロックが解除され、ドア１０を開くことができる。
【００１７】
キーシリンダ２８のキーロック時には、そのときのキー操作に伴う作動部材３０の回転により、その両突出片３２がカム部材１６の両突片１６ｂからズレた位置（図７の仮想線位置）に移動する。このため、すでに説明したようにノブ２０のプッシュ操作によって作動部材３０が作動しても、両突出片３２がカム部材１６の両突片１６ｂの斜面１６ｃに干渉せず、いわゆる空打ちとなる。したがって、カム部材１６は回転せず、両閂ロッド１２はドア１０を閉じたロック状態に保持される。
このように、キーロック時においては、ノブ２０のプッシュ操作によって作動する作動部材３０の両突出片３２がカム部材１６の側に全く干渉しないことから、仮にノブ２０が強くプッシュ操作された場合でも、ロック機構の構成部材に支障は生じない。
【符号の説明】
【００１８】
１０ ドア
１２ 閂ロッド
１６ カム部材
２０ ノブ
２８ キーシリンダ
３０ 作動部材
【図１】
2015101946.tif 000003
【図２】
2015101946.tif 000004
【図３】
2015101946.tif 000005
【図４】
2015101946.tif 000006
【図５】
2015101946.tif 000007
【図６】
2015101946.tif 000008
【図７】
2015101946.tif 000009